(57)【要約】互いに固定された蓋シート(113)とベースシート(111)の長手方向に沿って間隔を空けて配置され、且つ前記シート間に画定された医薬を収容するための複数のポケットを有する医薬キャリア(101)とともに用いるための医薬ディスペンサーであって、前記医薬キャリア内に入っている前記医薬にアクセスするための内部機構を有する医薬ディスペンサーが提供される。前記２枚のシートの剥離は、蓋シート駆動ホイール(218)の駆動によって達成される。また、ディスペンサー使用時における有効巻き取り表面の直径増加を補償し、それによって前記医薬キャリアが各駆動ごとに均一に間欠送りされることを保証するための補償手段(222、322、522)も設けられている。【選択図】図４
2005506164.tif 000002
【特許請求の範囲】
【請求項１】
互いに固定された２枚の剥離可能シートの長手方向に沿って間隔を空けて配置され、且つ前記シート間に画定された医薬を収容するための複数のポケットを有する医薬キャリアとともに用いるための医薬ディスペンサーであって、前記医薬キャリア内に入っている前記医薬にアクセスするための内部投薬機構を備えてなり、前記機構が、
ａ）前記医薬キャリアのポケットの１つを収容するための開放ステーションと、
ｂ）前記開放ステーションに収容されたポケットのベースシートおよび蓋シートに係合し、そのベースシートと蓋シートを剥離することによってそのポケットを開放するように配置された剥離手段と、ここでこの剥離手段は、前記開放ステーションに収容されたポケットの蓋シートとベースシートを引き剥がすための蓋駆動手段を備え、この蓋駆動手段は、前記蓋シートが巻き付く直径一定のホイールを備え、このホイールは有効巻き取り表面を有し、その直径は、蓋シートが前記ホイールの周囲に巻き付くにつれて増大し、
ｃ）ユーザーが開放されたポケットから医薬を取り出すことを可能にする、開放ポケットと連通するように配置された排出口と、
ｄ）前記医薬ディスペンサーで使用されている医薬キャリアのポケットを、前記排出口と連通して間欠送りするための間欠送り手段であって、一方の動きが他方の動きと相関するように前記蓋駆動手段と相互に連結されている間欠送り手段と
を備え、
さらに、ディスペンサー使用時における前記有効巻き取り表面の直径増加を補償し、それによって前記投薬機構の各駆動毎に前記医薬キャリアを確実に均一に間欠送りさせるための補償手段を備える、医薬ディスペンサー。
【請求項２】
前記補償手段が本質的に弾性である、請求項１に記載の医薬ディスペンサー。
【請求項３】
前記補償手段に張力が加えられる、請求項１または２に記載の医薬ディスペンサー。
【請求項４】
前記補償手段が前記開放ステーションと前記ホイールとの間に配置されている、請求項１〜３のいずれか１項に記載の医薬ディスペンサー。
【請求項５】
前記補償手段が、開放ステーションとホイールとの間に配置された可撓性部材を有する、請求項４に記載の医薬ディスペンサー。
【請求項６】
前記可撓性部材が可撓性の細長いアームを有する、その周りに前記蓋シートを送ることが可能である、請求項５に記載の医薬ディスペンサー。
【請求項７】
前記補償手段が、前記開放ステーションと前記ホイールとの間に配置されたバネを有する、請求項４に記載の医薬ディスペンサー。
【請求項８】
前記補償手段が、前記バネの一端に取り付けられたピストンヘッドであって、その周りに蓋シートを送ることが可能なピストンヘッドをさらに有する、請求項７に記載の医薬ディスペンサー。
【請求項９】
前記補償手段が、前記開放ステーションと前記ホイールとの間に配置されたバネ荷重テンショナーを有する、請求項４に記載の医薬ディスペンサー。
【請求項１０】
前記補償手段が、前記ホイールに配置されている、請求項１〜３のいずれか１項に記載の医薬ディスペンサー。
【請求項１１】
前記補償手段が、前記ホイールに配置されたねじりバネを有する、請求項１０に記載の医薬ディスペンサー。
【請求項１２】
前記ホイールが、前記ねじりバネを収容するような形状のハブ形態を取る、請求項１１に記載の医薬ディスペンサー。
【請求項１３】
前記補償手段が、前記ホイールに配置された定トルク装置を有する、請求項１０に記載の医薬ディスペンサー。
【請求項１４】
初期有効巻き取り表面が、最初に医薬キャリアの均一な間欠送りをもたらすように選択されている、請求項１〜１３のいずれか１項に記載の医薬ディスペンサー。
【請求項１５】
初期有効巻き取り表面が、最初に医薬キャリアの不均一な間欠送りをもたらすように選択されている、請求項１〜１３のいずれか１項に記載の医薬ディスペンサー。
【請求項１６】
初期有効巻き取り表面の直径が、医薬キャリアの均一な間欠送りに必要な直径よりも小さく、使用中、前記蓋シートが前記ホイールの周りに巻き付くにつれて、前記有効巻き取り表面が理想的な直径まで増大し、さらに巻き付いて、均一な間欠送りにとって大きすぎる直径までさらに増大する、請求項１５に記載の医薬ディスペンサー。
【請求項１７】
前記有効巻き取り表面の理想的な直径が、本質的に、前記蓋シートの半分が前記ホイールに巻き付いた時点に相当する、請求項１６に記載の医薬ディスペンサー。
【請求項１８】
前記間欠送り手段がくぼみを有する回転式間欠送りホイールを有し、前記くぼみがそれぞれ、医薬ディスペンサーに使用されている医薬キャリアのベースシートの各ポケットを収容するように、前記間欠送りホイールが、医薬ディスペンサーに使用されている医薬キャリアと係合可能である、請求項１〜１７のいずれか１項に記載の医薬ディスペンサー。
【請求項１９】
前記間欠送り手段が、前記医薬キャリアのポケットに係合してそのキャリアのさらなる剥離を妨げるロック位置と、前記医薬キャリアの自由な移動を可能にするリリース位置との間を移動可能である間欠送りラチェットを有し、医薬ディスペンサーの駆動によって前記蓋駆動手段が駆動され、前記間欠送りラチェットが前記医薬キャリアから離れてそのキャリアの剥離が可能になる、請求項１〜１７のいずれか１項に記載の医薬ディスペンサー。
【請求項２０】
前記間欠送り手段および／または前記蓋駆動手段と相互に連結された、医薬ディスペンサーを駆動するための間欠送りレバーをさらに有する、請求項１〜１９のいずれか１項に記載の医薬ディスペンサー。
【請求項２１】
前記間欠送り手段および／または前記蓋駆動手段が、電子駆動システムによって動作される、請求項１〜２０のいずれか１項に記載の医薬ディスペンサー。
【請求項２２】
前記電子駆動システムを機械的駆動システムと併用する、請求項２１に記載の医薬ディスペンサー。
【請求項２３】
前記内部機構がカセット内に収容されている、請求項１〜２２のいずれか１項に記載の医薬ディスペンサー。
【請求項２４】
本体；
前記本体内に嵌合する形状を有し、前記本体に対して移動可能なホルダー；および
前記ホルダーによって収容可能な、前記医薬キャリアを有するカセット
を有する、請求項２３に記載の医薬ディスペンサー。
【請求項２５】
前記本体に対して前記ホルダーを移動させることによって、前記カセットが第１の位置と第２の位置の間を移動し、その際、前記カセットが第２の位置にある時に前記カセットが前記ホルダーから可逆的に脱離可能であるようになされている、請求項２４に記載の医薬ディスペンサー。
【請求項２６】
前記第１の位置が投薬位置を有する、請求項２４に記載の医薬ディスペンサー。
【請求項２７】
前記第２の位置が非投薬位置を有する、請求項２６に記載の医薬ディスペンサー。
【請求項２８】
前記ホルダーおよび本体に、前記ホルダーを前記本体に取り付けるための取り付け手段がある、請求項２４〜２７のいずれか１項に記載の医薬ディスペンサー。
【請求項２９】
前記取り付け手段が、ピン−穴システムを有する、請求項２８に記載の医薬ディスペンサー。
【請求項３０】
前記ホルダーが前記本体に対して枢動可能である、請求項２４〜２９のいずれか１項に記載の医薬ディスペンサー。
【請求項３１】
前記ホルダーが前記本体に対して回転式に移動可能である、請求項２４〜２９のいずれか１項に記載の医薬ディスペンサー。
【請求項３２】
前記ホルダーがさらに、前記本体に対する前記ホルダーの動きを180°に制限するためのストッパーを有する、請求項３０または３１に記載の医薬ディスペンサー。
【請求項３３】
前記ホルダーが前記本体に対して摺動可能である、請求項２４〜２８のいずれか１項に記載の医薬ディスペンサー。
【請求項３４】
前記ホルダーがさらに、前記カセットを保持するためのキャッチを有する、請求項２４〜３３のいずれか１項に記載の医薬ディスペンサー。
【請求項３５】
前記キャッチがチャイルド・レジスタントなものである、請求項３４に記載の医薬ディスペンサー。
【請求項３６】
前記カセットがさらに、間欠送りレバーを有する、請求項２４〜３５のいずれか１項に記載の医薬ディスペンサー。
【請求項３７】
前記カセットがさらにマウスピースを有する、請求項２４〜３６のいずれか１項に記載の医薬ディスペンサー。
【請求項３８】
前記カセットが前記非投薬位置にある時に、前記本体が前記マウスピースおよび間欠送りレバーを覆っている、請求項３７に記載の医薬ディスペンサー。
【請求項３９】
前記カセットがさらに、前記ホルダーに対して嵌合するための隆起部分を有する、請求項２４〜３８のいずれか１項に記載の医薬ディスペンサー。
【請求項４０】
前記ベースシートおよび蓋シートが剥離可能な形で互いに封止されている時に前記医薬キャリアの前記細長い帯片を収容する第１のチャンバと、前記ベースシートが前記間欠送りホイールの周りに間欠送りされ、前記蓋シートから分離された後にそのベースシートを収容する第２のチャンバとをさらに有する、請求項１〜３９のいずれか１項に記載の医薬ディスペンサー。
【請求項４１】
前記第１のチャンバおよび前記第２のチャンバが壁によって分離されている、請求項４０に記載の医薬ディスペンサー。
【請求項４２】
前記壁が移動可能であることで、前記第１および第２のチャンバの大きさが調節される、請求項４１に記載の医薬ディスペンサー。
【請求項４３】
前記本体の少なくとも一部にユーザーが把持しやすい形状を有する、請求項２４〜４２のいずれか１項に記載の医薬ディスペンサー。
【請求項４４】
前記ホルダーが、親指グリップまたは指グリップを有する、請求項２４〜４３のいずれか１項に記載の医薬ディスペンサー。
【請求項４５】
前記装置の操作を片手で行うことができる、請求項１〜４４のいずれか１項に記載の医薬ディスペンサー。
【請求項４６】
医薬を含む複数のポケットを有する医薬キャリアをさらに有する、請求項１〜４５のいずれか１項に記載の医薬ディスペンサー。
【請求項４７】
前記医薬が粉末または固体（例えば錠剤）形態である、請求項４６に記載の医薬ディスペンサー。
【請求項４８】
前記医薬が薬剤を含む、請求項４７に記載の医薬ディスペンサー。
【請求項４９】
前記薬剤が、アルブテロール、サルメテロール、プロピオン酸フルチカゾンおよびジプロピオン酸ベクロメタゾンおよびそれらの塩または溶媒和物ならびにそれらのいずれかの組み合わせからなる群から選択される、請求項４２に記載の医薬ディスペンサー。
【請求項５０】
前記組み合わせが、キシナホ酸サルメテロールおよびプロピオン酸フルチカゾンを含む、請求項４９に記載の医薬ディスペンサー。
【請求項５１】
前記医薬がさらに賦形剤を含む、請求項４７〜５０のいずれか１項に記載の医薬ディスペンサー。
【請求項５２】
前記賦形剤が糖である、請求項５１に記載の医薬ディスペンサー。
【請求項５３】
部品キットの形態である、請求項２４〜５２のいずれか１項に記載の医薬ディスペンサー。
【請求項５４】
医薬の投薬のための、請求項１〜５３のいずれか１項に記載の医薬ディスペンサーの使用。
【発明の詳細な説明】
【技術分野】
【０００１】
本発明は、医薬を投薬するための医薬ディスペンサーに関する。本発明は特に、粉剤または錠剤の形態の医薬を投薬するのに使用される装置に関するものである。
【背景技術】
【０００２】
例えば気管支拡張療法における医薬投薬での吸入装置の使用は公知である。そのような装置は一般に、内部に医薬キャリアが配置された本体または筐体を有する。公知の吸入装置には、前記医薬キャリアが別個の粉末状投薬単位を多数含むブリスター帯片であるものなどがある。そのような装置は通常、これら投薬単位にアクセスするための機構を有しており、その機構は、普通は貫通手段または蓋シートをベースシートから剥離させる手段を有する。次に、その粉末医薬にアクセスし、吸入を可能にする。そのような機構は、錠剤の形態での医薬を投薬するのに用いることもでき、その場合、ベースシートから蓋シートを剥離させることで錠剤を暴露し、錠剤を取り出して次に服用する。
【発明の開示】
【０００３】
本発明の目的は、前記の医薬キャリアから粉末または固体形態の医薬を送出するための医薬ディスペンサーの内部機構を簡単なものとすることにある。
【０００４】
本発明のさらに別の目的は、医薬キャリアの入った交換カセットの挿入によって再充填可能な装置を提供することにある。そのカセットは、医薬キャリアが空になると交換することができる。従ってその装置は、装置の大半を保持することができ、使い捨てではないことから、より「環境に優しい」ものである。その装置には、完全に使い捨ての装置ではコスト効率の良くない可能性がある電子部品などの別の構成要素を取り付けることもできる。
【０００５】
本発明の別の目的は、前記カセットを容易に取り外すことができるようにし、新たな交換カセットを容易に挿入できるようにすることにある。医薬ディスペンサーの操作をわかりやすく、複雑でないものとすること、特に使用装置の準備に関わる個々の段階の数を少なくすることも望ましい。このことは、簡単さおよび使いやすさが最も重要である緊急時または救急時（例：喘息発作）での医薬送達での使用を意図して装置を設計する場合に、特に適切である。
【０００６】
使用中ではない場合には衛生上の観点から、マウスピースその他の医薬出口流路にある種の保護カバーを設けることが望ましい。そのカバーは望ましくは、ホコリの堆積を防ぎ、マウスピースまたは流路から装置本体に侵入して、患者がそれを吸入または摂取する可能性があるホコリの侵入を防ぐという両方の役割を果たすものである。何らかの形でカバーを装置に取り付けまたは搭載することで、カバーが位置ずれしたり失われるリスクを低下させることも望ましい。従って本発明のさらに別の目的は、装置が保管状態にある時には装置本体をマウスピースまたは出口流路カバーとして機能させること、ならびにカセットを本体に対して移動可能とすることで、患者が使用する際にマウスピースまたは流路を露出させることができるようにすることにある。
【０００７】
本発明のさらに別の目的は、多数の個別の投薬単位を使用する上で好適であるが、患者が使用する上で許容できる大きさのものである医薬ディスペンサー装置を提供することにある。
【０００８】
従って、１態様において本発明は、互いに固定された２枚の剥離可能シートの長手方向に沿って間隔を空けて配置され、且つ前記シート間に画定された医薬を収容するための複数のポケットを 有する医薬キャリアとともに用いるための医薬ディスペンサーであって、前記医薬キャリア内に入っている前記医薬にアクセスする(accessing)ための内部投薬機構(internal dispensing mechanism)を備えてなり、前記機構が、
ａ）前記医薬キャリアのポケットの１つを収容するための開放(opening)ステーションと、
ｂ）前記開放ステーションに収容されたポケットのベースシートおよび蓋シートに係合し、そのベースシートと蓋シートを剥離することによってそのポケットを開放するように配置された剥離手段と、ここでこの剥離手段は、前記開放ステーションに収容されたポケットの蓋シートとベースシートを引き剥がすための蓋駆動手段を備え、この蓋駆動手段は、前記蓋シートが巻き付く直径一定(fixed-diameter)のホイールを備え、このホイールは有効巻き取り表面(effective winding surface)を有し、その直径は、蓋シートが前記ホイールの周囲に巻き付くにつれて増大し、
ｃ）ユーザーが開放されたポケットから医薬を取り出すことを可能にする、開放ポケットと連通するように配置された排出口と、
ｄ）前記医薬ディスペンサーで使用されている医薬キャリアのポケットを、前記排出口と連通して間欠送りするための間欠送り手段(indexing means)であって、一方の動きが他方の動きと相関するように前記蓋駆動手段と相互に連結されている間欠送り手段と
を備え、
さらに、ディスペンサー使用時における前記有効巻き取り表面の直径増加を補償し、それによって前記投薬機構の各駆動毎に前記医薬キャリアを確実に均一に間欠送りさせるための補償手段(compensating means)を備える、医薬ディスペンサーを提供する。
【０００９】
本発明の医薬ディスペンサーは、互いに固定された２枚の剥離可能シートの長手方向に沿って本質的に均一に間隔を空けて配置され、且つ前記シート間に画定された医薬を収容するための複数のポケットを有する医薬キャリアとともに使用するのに適している。医薬キャリアは、一般に、細長い、剥離可能なブリスター帯片の形態である。
【００１０】
本明細書で使用される場合、ホイールという用語は、例えばホイール、スピンドルまたはスプールを包含する。ホイール自体は一定の直径をもつが、その有効巻き取り直径(effective winding diameter)(すなわち、ホイールと、ホイールに巻かれた蓋シートの厚さの和)は、使用中、蓋シートを受けとるにつれて変わる。ホイールは典型的には中実構造であり、本質的に、少なくともその直径については非圧縮性である。
【００１１】
ホイールを、例えば医薬キャリアの蓋シートを駆動するための蓋駆動手段として使用した場合に遭遇する問題は、蓋シートがホイールの周りに巻き付くにつれて、ホイールの有効巻き取り直径が増大するので、その横方向の有効引張り作用（すなわち引張りの長さ）も増大するということである。これは問題をはらんでいる。なぜなら、駆動の際、医薬キャリアの各ポケットが略均一な間欠送り／開放作用を受けるのを保証するためには、開放ステーションで医薬キャリアポケットが決定可能な(definable)引張り作用を受けることが望ましいからである。基本的に、引張り作用が不十分な場合、ポケットを開放し損ねるだろうし、一方、引張りが過剰な場合、機械部品に応力が加わり、且つディスペンサーを駆動するのに必要な力を増大させるだろう。
【００１２】
上記問題の解決法の一つは、実径が可変のホイール、例えば蓋シートが巻き付くにつれて実径が減少する折り畳み式の(collapsible)ホイールを使用することを含みうる。しかしながら、そのようなホイールは、折り畳み式ではない形態の一定の直径を有するホイールよりも設計／製造が難しい。
【００１３】
本発明によれば、ディスペンサーの使用時にホイールの有効巻き取り表面の直径が増大するのを補償し、それによって投薬機構の各駆動毎に医薬キャリアを確実に均一に間欠送りさせるための補償手段が設けられる。
【００１４】
好適には、補償手段（例えばバネまたは可撓性部材）は弾性であり、蓋シートから張力が取り除かれると補償手段がその停止位置に戻るようになされている。したがって、使用済みの医薬キャリアが取り出された後に、内部機構に新しい医薬キャリアを再装填することができる。
【００１５】
補償手段は、その補償機能をそこで達成するのに要求されるような任意の適切な形態を取り得る。いくつかの態様では、補償手段はバネ付きであるか、さもなければ張力が加えられている。
【００１６】
１態様では、補償手段は開放ステーションとホイールの間に配置されている。補償手段は、それらの間の蓋シートの長さを減らし、ディスペンサー使用時のホイールの有効巻き取り表面の直径増大を補償するように作用する。よって、医薬キャリアは、投薬機構の各駆動毎に均一に間欠送りされ（すなわち、典型的には帯片が同じ長さずつ間欠送りされる）、ポケット開放作用も均一に受ける。
【００１７】
好適には、補償手段は、開放ステーションとホイールとの間に配置された可撓性部材の形態を取る。可撓性部材は、可撓性の細長いアームの形態を取ることができ、そのアームの周りに蓋シートが送られる。アームは、蓋シートにおける張力が大きくなるにつれて内側に撓むことができることから、開放ステーションと蓋駆動手段との間で蓋シートの長さを短くすることができる。
【００１８】
好適には、前記補償手段は、開放ステーションと蓋駆動手段との間の蓋シートにおける張力が大きくなるにつれて長さが減少する、開放ステーションとホイールの間に配置されたバネの形態を取る。１態様では、蓋シートが送られるバネの一端には、ピストンヘッドが取り付けられている。バネの他端は固定することができる。蓋シートにおける張力が大きくなるにつれて、ピストンは下方に駆動されてバネ上に至る。
【００１９】
好適には前記補償手段は、開放ステーションとホイールとの間に配置されたバネ荷重テンショナー(sprung-loaded tensioner)の形態を取る。
【００２０】
別の態様では、補償手段はホイールに配置されている。特に補償手段は、ホイールの駆動機能特性を変化させて（一般には減少させる）、ディスペンサーの使用時のホイールの有効巻き取り表面の直径増大を補償するように作用する。よって、医薬キャリアは、投薬機構の各駆動毎に均一に間欠送りされ（すなわち、典型的には帯片が同じ長さずつ間欠送りされる）、ポケット開放作用も均一に受ける。
【００２１】
好適には、補償手段は、ホイールに配置されたねじりバネを含む。好適には、ホイールはハブ形態を取り、ねじりバネは、ギヤによって駆動され得るねじりハブ駆動(torsion hub drive)をもたらすように構成されている。１態様では、使用中、ねじりバネは最初ぴんと張っており、ホイールが蓋シートを受け取るにつれてその張力は減少し、したがって、より遅く受け取られる蓋シート（すなわち、医薬キャリアのまだ受け取っていないほうの端部方向の蓋シート）におけるその駆動作用も減少する。
【００２２】
好適には、補償手段は、ホイールに配置された定トルク装置を含む。定トルク装置は、予め決められたトルクでスリップするように構成されている。いくつかの態様では、ホイールの有効巻き取り表面の直径が常に要求される直径よりも大きくなるように、且つ定トルク装置がスリップしてこれに適応すると同時に、所望の蓋シート張力が維持されるように、ギヤリングが設けられている。
【００２３】
補償手段が、ディスペンサー使用時にホイールの有効巻き取り表面の直径増大を補償するように機能することは明らかになったであろう。ホイールの初期有効巻き取り表面および関連する初期駆動「速度」は、主として、ホイールの（一定の）初期直径の関数であることは明らかであろう。ここでは、初期有効巻き取り表面を、特にホイールの選択された初期駆動特性を規定するように選択した場合に変形形態が考えられる。
【００２４】
「ワンウェイ巻き取り(one way take up)」モードと呼ばれることもある一つの変形形態においては、初期有効巻き取り表面は、最初に医薬キャリアの理想的な（すなわち均一な）間欠送りが生じるように選択される。蓋シートがホイールの周りに巻き付くにつれて、有効巻き取り表面が増大し、補償手段はその増大を補償するように作用する。
【００２５】
「ツーウェイ巻き取り(two way take up)」モードと呼ばれることもあるもう一つの変形形態においては、初期有効巻き取り表面は、最初に医薬キャリアの理想的でない（すなわち均一でない）間欠送りが生じるように選択される。なぜなら、ホイールの直径の大きさが不十分だからである。蓋シートがホイールの周りに巻き付くにつれて、有効巻き取り表面は理想的な直径まで増大し、ついでさらに巻き付いて、理想的でない（すなわち大きすぎる）直径になるまで増大し続ける。この実施形態では、当然ながら、補償手段によって提供される補償の程度および性質は、巻き取り作用の間、変化する。補償手段は、最初、不十分なホイール直径を補償するように作用する。次いで、その補償は減少して、有効巻き取り表面の直径が理想的になる時点でゼロになる。その後、補償は、次第に、大きすぎる有効巻き取り表面を補償するように作用する。このアプローチは、所定のゼロ（すなわち理想）から医薬キャリアが受ける（平均の）補償作用（例えば張力）を全体的に低下させるという利点を有し、あまり強力ではない引張り手段（例えば小型のバネ）の使用が可能となる。この変形形態の好ましい態様では、理想的な有効巻き取り表面の直径は、蓋シートの半分がホイールに巻き付いた時点にほぼ相当するように選択され、この場合、全使用サイクルにわたって医薬キャリアが受ける平均の補償作用は、ゼロに近い。
【００２６】
好適には、前記間欠送り手段はくぼみを有する回転式間欠送りホイールを有し、前記くぼみそれぞれが、医薬ディスペンサーに使用されている医薬キャリアのベースシートの各ポケットを収容するように、前記間欠送りホイールは、医薬ディスペンサーに使用されている医薬キャリアと係合可能である。
【００２７】
あるいは、前記間欠送り手段は、間欠送りラチェットを有していてもよく、この間欠送りラチェットは、前記医薬キャリアのポケットに係合してそのキャリアのさらなる剥離を妨げるロック位置と、前記医薬キャリアの自由な移動を可能にするリリース位置との間を移動可能であり、前記医薬ディスペンサーの駆動により、前記蓋駆動手段が駆動して、前記間欠送りラチェットが前記医薬キャリアから離れて、キャリアの剥離が可能となる。
【００２８】
好適には、医薬ディスペンサーはさらに、前記ディスペンサーを駆動するための間欠送りレバーを有し、ここでこの間欠送りレバーは、前記間欠送り手段および／または前記蓋駆動手段と相互に連結されている。
【００２９】
１態様において前記蓋駆動手段および／または間欠送り手段は、電子駆動システムによって動作される。電子駆動システムは、機械式駆動システムと併用することもできる。
【００３０】
電子駆動手段は代表的には、モーター、好ましくは電動モーターを有する。モーターは直線または回転駆動を提供することができるが、通常は回転モーターが最適である。モーターとしては、例えば、DC電気モーター、圧電（PZ）モーター、超音波モーター、ソレノイドモーターまたはリニアモーターが挙げられる。好ましくは電子駆動システムは、DCモーター、PZモーターまたは超音波モーターを有する。
【００３１】
重量、大きさ、ノイズ、コストおよび発生するトルクに関して従来のモーターに勝る利点が得られることから、超音波モーターの使用が特に好ましい。超音波モーターは当業界では公知であり、市販されている（例えば、BMSTU Technological Cooperation Centre Ltd, Moscow, Russia; Shinsei Corporation, Tokyo, Japan）。
【００３２】
超音波モーターは、コイルや磁石を使用せず、結合ローター(coupled rotor)を駆動する圧電式セラミックスターターを有する。そのスターターは超音波振動を発生させ、それが次にローターの回転を起こす。通常のDCモーターは高速・低トルクを特徴とし、トルクを高めるために減速ギヤリングを必要とするが、超音波モーターでは低速・高トルクが得られることから、減速ギヤリングの必要性がなくなる。さらに、そのモーターは軽量・小型であってコイルや磁石がなく、使用される超音波周波数は人間の耳では聞こえないことから雑音がない。
【００３３】
好適には前記ディスペンサーはさらに、前記電子駆動システムを駆動するための駆動手段を有する。前記駆動手段は、スイッチ、押しボタンまたはレバーの形態を取ることができる。
【００３４】
さらに別の態様において、未使用医薬帯片を有するコイルを、定荷重バネで囲むことができる。別の形態において、未使用医薬帯片を有するコイルを、弾性帯または収縮性材料を含む帯で囲むことができる。定荷重バネ、弾性帯または収縮性材料を含む帯は、コイルの大きさが小さくなるにつれて収縮する。
【００３５】
好適には、前記剥離手段はさらに、蓋シートおよびベースシートを開放ステーションでの別個の経路に沿って導くためのガイドを有する。蓋シートは、ガイド部分の周囲をと覆って蓋駆動手段上に至る。
【００３６】
別の形態として前記ガイドは、ローラー機構を有する。蓋シートは、ローラー上に送られて蓋駆動手段上に至る。
【００３７】
好適には前記内部機構はさらに、最初に帯片が収納されており、その帯片を送り出す第１のチャンバと、間欠送りされ、蓋シートからの分離が行われた後にベースシートの使用済み部分を収容するための第２のチャンバとを有する。
【００３８】
好適には、前記第１のチャンバおよび前記第２のチャンバは壁によって分離されている。
【００３９】
好適には前記壁は、前記第１および第２のチャンバの大きさを調節するように移動可能である。
【００４０】
別の形態では、前記壁は柔軟に移動可能であることで、前記第１および第２のチャンバの大きさを調節することができる。
【００４１】
別の形態では、第２のチャンバは、伸張可能であり、だんだん大きくなるベースシートの使用済み部分のコイルのための空間が作り出される。
【００４２】
好適には前記内部機構はさらに、蓋シートの使用済み部分を収容するための第３のチャンバと、間欠送り手段を収納する第４のチャンバを有する。第４のチャンバはスリットを介して連絡していてもよく、そのスリットは次にマウスピースまたは出口流路内で上方に延在して、空気取り入れ口と連通している。
【００４３】
好適には前記内部機構はさらに、医薬が取り出された後に医薬ポケットを押しつぶすための破砕ホイールを有する。従ってその破砕ホイールは、ベースシートの使用済み部分が占有する空間を減らすものである。
【００４４】
代表的には、前記医薬キャリア内に含まれる前記医薬にアクセスするための前記内部機構は、カセット内に収納されている。
【００４５】
１態様によれば、本発明は、本体；前記本体内に嵌合する形状を有し、前記本体に対して移動可能なホルダー；および前記ホルダーに収容可能な前記医薬キャリアの入ったカセットを有する、医薬投薬用の医薬ディスペンサーが提供される。
【００４６】
好適には、本体に対してホルダーが動くことで、第１の位置と第２の位置の間でカセットが動き、その際、カセットが第２の位置にある時にホルダーからカセットを可逆的に取り出すことができる（脱離可能である）ようになされている。
【００４７】
好適には、前記第１の位置は投薬位置を有する。好ましくは前記第２の位置は非投薬位置を有する。従って前記カセットは、カセットが非投薬位置にある場合にのみ、ホルダーから取り出すことができる。
【００４８】
好適には前記ホルダーおよび本体には、ホルダーを本体に取り付けるための取り付け手段がある。好ましくは前記取り付け手段は、スナップ嵌め(snap fit)機構を有する。
【００４９】
好適には、前記スナップ嵌め機構はピン−穴システム(pin and hole system)を有する。
【００５０】
好適には前記ホルダーは、本体に対して枢動可能である。
【００５１】
別形態として前記ホルダーは、本体に対して回転式に移動可能である。
【００５２】
好適には前記ホルダーはさらに、本体に対するホルダーの動きを制限するためのストッパー(stop)を有する。ストッパーは、本体が回転すると２箇所で本体縁部に当接する。これらの箇所で、ホルダーが所定位置にカチッと音を立てて嵌まるように設計することができる。従って、ストッパーが一方の本体縁部に当接すると、投薬位置にカチッと嵌まり、ストッパーが他方の本体縁部に当接すると、非投薬位置にカチッと嵌まる。
【００５３】
別形態として前記ホルダーは好適には、本体に対して摺動可能である。
【００５４】
好適には前記ホルダーはさらに、カセットを保持するためのキャッチ(catch)を有する。そのキャッチは例えば、穴に嵌合するバネ式ピン(sprung pin)または押すと変形することでカセットの取り外しを可能とする一体型キャッチを有することができる。
【００５５】
好適には前記キャッチは、チャイルド・レジスタントな(子供にとって安全な(child resistant))ものである。チャイルド・レジスタンスは、カセットを外すにはユーザーが１度に２つの動作を行わなければならないようにするシステムを持たせることで実現可能である。キャッチの他の特徴には、ショックまたは衝撃耐性、キャッチおよび方向決め要素をロックしてカセットが１方向のみで挿入できるようにする能力などがあり得る。キャッチはさらに、製造および組立が容易であり、堅牢であり、最小数の構成要素で構成されており、カセットを挿入する空間への進入程度が最小となるようにすべきである。
【００５６】
好適には前記ホルダーには、カセットをホルダーにガイドするガイド手段がある。好ましくは前記ガイド手段には、ガイドレールがある。別形態として、前記ガイド手段にはホルダーとカセットとの間の「ロックとキー」の関係を規定する溝、窪みその他の形状または表面ディテールを有する。カラーガイド、矢印および他の表面マークも用いることができる。
【００５７】
好適には前記カセットはさらに、間欠送りレバーを有する。間欠送りレバーは、カセット本体外部にフィンガータブを有する。間欠送りレバーの残りはカセット内にある。間欠送りレバーは、尾部端に歯を有し、および／または中央部分に沿って歯を有することができる。
【００５８】
好適には前記カセットはさらに、マウスピースを有する。
【００５９】
１態様では、前記マウスピースは拡大可能である。マウスピースは、カセットおよびホルダーが非投薬位置から投薬位置に移動するにつれて拡大する。
【００６０】
別形態として前記マウスピースは、格納式である。マウスピースは、カセットおよびホルダーが投薬位置から非投薬位置に移動するにつれて格納される。
【００６１】
１態様において前記マウスピースは、伸縮式である。
【００６２】
別形態としてマウスピースは、固定されている。
【００６３】
前記医薬ディスペンサーは、粉末医薬の経鼻吸入用に設計することもできることから、マウスピースに対する代替品として鼻当てを組み込むことができる。医薬が固体の場合、ディスペンサーは錠剤放出用の出口流路を組み込むことができる。
【００６４】
好適には、カセットが非投薬位置にある場合には、前記本体がマウスピースおよび間欠送りレバーを覆っている。それによって、別個のカバーを設ける必要がなくなり、保管中における塵埃および汚染物のマウスピースへの侵入が防がれる。
【００６５】
好適には前記カセットはさらに、ホルダーに嵌合する隆起部分を有する。隆起部分は、マウスピース／鼻当て／出口および間欠送りレバーに対してカセットの反対側の端に位置し、ホルダー内に嵌合するには広すぎることから、ホルダーへのカセットの誤った挿入が防止される。その隆起部分は、ホルダーの切欠部に嵌合するような形状となっている。好ましくは前記隆起部分には、グリップ部分を画定するための隆起している区画がある。
【００６６】
好適には、前記ホルダーおよび本体の少なくとも一部が、ユーザーによる把持を容易にする形状となっている。
【００６７】
好適には前記装置の操作は、片手で行うことができる。
【００６８】
好適には、本体は、その上面または底面に沿って配置された少なくとも１個のブラシまたはワイパーブレードを有し、これらは、カセット内部の上面および底面をブラシがけするものである。ブラシまたはワイパーブレードは、医薬キャリアをカセット本体の残りの部分から密閉するためにチャンバを閉じる働きをし、遊離した粉末がカセットの残りの部分に侵入するのを防ぐ働きをすることができる。遊離粉末は、患者がレバーを押すことで帯片を間欠送りしたときに、患者が１用量を摂取する意志がなかった場合または全ての粉末を吸入できなかった場合に、ブリスター帯片の使用済み部分からチャンバ内に侵入する可能性がある。
【００６９】
好適には前記医薬ディスペンサーは、間欠送りレバー駆動回数またはカセットからの用量の放出回数をカウントするための駆動もしくは用量カウンターを有する。用量カウンターは、摂取のために残された用量数または摂取された用量数をカウントすることができる。
【００７０】
好適には前記用量カウンターは、電子機器である。別形態として前記用量カウンターは機械的なものである。
【００７１】
好適には、前記用量カウンターはカセット内に配置されている。別形態として、前記用量カウンターはカセットの外側にある。
【００７２】
別形態として前記ブリスター帯片には、ポケット中の投薬単位数に相当する数が上に印刷されている。好ましくは、前記印刷された数字は、カセットにおける窓から見ることができる。前記装置は、次のように組み立てることができる。ホルダーを本体内にスナップ嵌めする。カセットを別個に組み立てる。カセット本体を形成し、好ましくは必要なスピンドルまたは一体構成要素がベースに形成されている２つの部分で形成する。次に、間欠送りホイール、蓋巻き取り機構、ガイド部分などの個々の構成要素をベースに組み込む。最後に、医薬の入ったブリスター帯片（または他の好適な医薬キャリア）をカセットに挿入することができる。それを装置に巻き込んでから、蓋をカセットに取り付け、カセットを封止することができる。別形態として、ブリスター帯片または医薬キャリアを挿入するための側面に残された穴から完全に別々にカセットを形成することができる。次に穴を封止して、カセットを完成することができる。装置に医薬キャリアを挿入するこの第２の方法は、かなり簡単であるという利点を有する。
【００７３】
好適には前記医薬ディスペンサーはさらに、電子データ管理システムを有する。電子データ管理システムは、入力／出力能力を有し、データ記憶用メモリー；前記データに関する操作を行うためのマイクロプロセッサ；ならびにデータに関係する信号またはデータに関する操作の結果を伝達するための送信機を有する。
【００７４】
好適には前記電子データ管理システムは、ユーザーの音声に応答するかそれによって駆動するように構成されている。そこで例えば、そのシステムを音声コマンドに応答してオン／オフ切り換えすることができる。
【００７５】
電子データ管理システムは、本体と一体とすることができる。別形態として、電子データ管理システムは、本体と可逆的に関連付けすることができるベースユニットの一部を形成している。
【００７６】
好適には前記医薬ディスペンサーはさらに、電子データ管理システムにユーザーがデータ入力するためのデータ入力システムを有する。好ましくは前記データ入力システムは、好ましくはキーパッド、音声認識インターフェース、グラフィカル・ユーザー・インターフェース（GUI）またはバイオメトリクス・インターフェースから選択されるマン・マシン・インターフェース（MMI）を有する。
【００７７】
エネルギーを各種手段で保存して、バッテリーなどの所定のエネルギー源でより長期間装置を動作できるようにすることができる。エネルギー保存または節減方法は、電源（例えば、バッテリー）のサイズ上の必要条件を軽減するという点に関して、従って医薬ディスペンサーの重量および携帯性の点で利点を有するものである。
【００７８】
各種エネルギー節減方法が利用可能であり、それには通常、電力消費の低減が関与する。そのような方法の一つは、時計またはタイマー回路を用いて、定期的または所定間隔で電源のオン・オフを切り換えるというものである。別の方法では前記システムは、表示装置ユニットまたはセンサーなどの特定の電子機器のオン／オフを選択的に行うことで、それらの装置に、その装置が特定の手順の作業を行う上で必要とされる場合にのみ電力供給するようにすることができる。そこで、そのシステムの制御下に、異なる電子装置を多様な間隔および多様な期間にわたりオン・オフすることができる。電源逐次開閉システムは、装置を使用すると動作する運動センサーまたは呼吸センサーなどのセンサーに応答するものであることもできる。
【００７９】
可能であれば電子機器内では低電力または「微小電力」部品を用いるべきであり、特定機能に高電力装置が必要な場合には、必要ない時にはそれは低電力スタンバイモードとするか、あるいはスイッチをオフとすべきである。同様の考慮事項が、トランスデューサの選択にも当てはまる。電圧に応じて電力消散が増えるのが一般的であることから、低電圧での動作が望ましい。
【００８０】
低電力デジタル用途には、一般的には相補型金属酸化膜半導体（CMOS）装置が好ましく、それは低静止電流についてのスクリーニングを行うことで特別に選択することができる。周波数に伴って電力消費が増加することから、プロセッサおよび他の論理回路のクロック速度は、計算スループットに必要な最低値まで低下させるべきである。スイッチ切り換え時の内部コンデンサへの充電における電力消散は電圧の平方に比例することから、供給電圧も、信頼性のある動作が確保される最低値に維持すべきである。可能であれば、供給電圧は回路全体を通じてほぼ同一とすることで、電流が入力保護回路を通って流れるのを防止するべきである。論理入力は、フローティングのまま放置すべきではなく、電力消費がほとんどの通常の論理出力状態で最小となるように回路を配置すべきである。低速論理変換は、それによって比較的大きいＡ級電流流れを生じ得ることから望ましくない。抵抗器を個々の装置に対する電源装置に組み込んで、不首尾時に電流を低減することができる。
【００８１】
一部の制御用途において、低抵抗オン状態および低電流オフ状態では電力消散が相対的に少ないことから、オン状態とオフ状態の間で切り換えを行う装置は、アナログ（例えば、線形）制御を可能とするものには好ましい。線形部品を用いる場合（例えば、ある種の電圧調整器）、低静止電流を有する種類を選択すべきである。一部の回路構造では、適切な反応型部品（すなわち、インダクタおよびコンデンサ）を用いて、抵抗部品における電力消散を低減することが好ましい。
【００８２】
好適には前記システムはさらに、電子データ管理システムからユーザーへのデータを表示するための表示装置ユニットを有する。その表示装置は例えば、LEDまたはLCD画面などの画面を有することができる。より好ましくは、表示装置ユニットは医薬ディスペンサー本体に連動可能である。
【００８３】
好適には前記医薬ディスペンサーはさらに、ローカルデータストアにリンクして、そのローカルデータストアと電子データ管理システムとの間でデータ通信を可能とするデータリンクを有する。そのデータストアは、データ管理、データ解析およびデータ通信能力を有することもできる。
【００８４】
前記データストアはそれ自体が、携帯型装置（例えば、手持ち式装置）の一部を形成していることができるか、あるいは患者の自宅内に入るような大きさおよび形状とすることができる。そのデータストアはまた、交換カセットの保管用の物理的保管領域を有することができる。前記データストアはさらに、内部に保管された医薬品の貯留部から医薬を再充填するためのシステムを有することができる。そのデータストアはさらに、医薬ディスペンサー上の電気エネルギーストアを再充電するための再充電システム、特にはバッテリー再充電システムを有することができる。
【００８５】
前記データリンクは例えば、配線接続リンク、赤外線リンクまたは他の好適なワイアレス通信リンクなどのいずれか好適な方法によってドッキングステーション、パーソナルコンピュータ、ネットワークコンピュータシステムまたはセットトップボックスとリンクすることが可能である。
【００８６】
好適には前記医薬ディスペンサーはさらに、投薬機構の駆動を検出するための駆動検出器を有し、前記駆動検出器は駆動データを電子データ管理システムに送信する。
【００８７】
前記医薬ディスペンサーはさらに、投薬機構の予定外の複数駆動を防止するための安全機構を有することができる。それによって患者は、患者が短い急速な呼吸を何回も行う状況で不注意で複数用量の医薬を服用するという事態から保護される。より好ましくは、前記安全機構は、放出手段の連続する駆動間に時間ディレーを設けるものである。その時間ディレーは代表的には、３〜30秒程度である。
【００８８】
好適には前記医薬ディスペンサーはさらに、カセットからの医薬の放出を検出する放出検出器を有し、その放出検出器は放出データを電子データ管理システムに送信する。
【００８９】
好適には前記医薬ディスペンサーはさらに、医薬容器の振動を検出する振動検出器を有し（例えば、投薬機構の駆動前）、前記振動検出器は振動データを電子データ管理システムに送信する。
【００９０】
好適には、駆動検出器、放出検出器または振動検出器は、運動などのいずれか好適なパラメータを検出するセンサーを有する。光学センサーの使用などの好適なセンサーが想到される。放出検出器は、圧力、温度、音、水分、二酸化炭素濃度および酸素濃度などの医薬放出によって影響されるパラメータを感知することができる。
【００９１】
好適には前記医薬ディスペンサーはさらに、投薬機構をトリガーするための呼吸トリガーを有し、前記呼吸トリガーは電子データ管理システムからのトリガーシグナルに応答して駆動可能である。好ましくは前記電子データ管理システムには、トリガーシグナルを送信する際における、呼吸データ由来の予測アルゴリズムまたは参照用テーブルなどがある。例えば、患者の呼吸波形のリアルタイム解析を行うことができ、その解析波長を参照してトリガー点を誘導することができる。
【００９２】
好適には前記電子データ管理システムには、投薬する至適医薬量を計算するための予測アルゴリズムまたは参照用テーブルなどがある。
【００９３】
好適には前記電子データ管理システム上のメモリーには、用量データを記憶するための用量メモリーなどがあり、投薬する至適医薬量の計算において用量メモリーを参照する。
【００９４】
好適には前記医薬ディスペンサーはさらに、前記投薬機構から投薬する医薬量を選択するためのセレクターを有する。１態様において前記セレクターは、手動で操作可能である。別の態様において前記セレクターは、電子データ管理システムへの送信機からのシグナルに応答して動作可能である。
【００９５】
好適には前記医薬ディスペンサーは、その本体または筐体に関連して、データを送受信するための第１の送受信機と、医薬容器に関連して、データを送受信するための第２の送受信機を有するものであり、データは第１の送受信機から第２の送受信機へ２方向式に転送可能である。データは好ましくは、デジタル形式であり、電子的または光学的手段による転送に好適なものである。
【００９６】
この種類の実施形態の一つの利点は、送受信機のメモリー構造の異なる部分での多くの形式の情報を記憶する能力である。その情報はさらに、容易かつ正確に転送可能な形式で記憶される。その情報には例えば、製造または配送プロセスの各種時点でメモリーに書き込まれた製造および配送遵守情報などを含ませることで、ディスペンサーの詳細かつ容易にアクセス可能な製品を提供することができると考えられる。そのような製品履歴情報は例えば、製品リコールの場合に参照することができる。例えば遵守情報には、日付および時刻のスタンプなどがあり得ると考えられる。その情報にはさらに、暗号形式または製品を個別に識別することで贋造の検出および防止に役立ち得るメモリーのパスワード保護可能な部分で記憶された固有の製造番号などもあり得ると考えられる。その情報には、医薬の性質および投与情報などの基本的な製品情報、所期の顧客の氏名などの顧客情報、ならびに所期の製品配送先などの配送情報などもあり得ると考えられる。
【００９７】
医薬ディスペンサーにカセットを搭載または再搭載すると、例えば第２の送受信機が固有の製造番号、バッチコードおよび医薬の消費期限ならびに第２の送受信機に関する他の情報を読み取ることができる。このようにして、使用された用量またはカセット内に残っている用量の数とともに医薬の性質および濃度を確認することができる。この情報は、表示装置ユニットで患者に表示することができる。医薬ディスペンサーをカセットに再搭載した回数などの他の情報も表示することができる。
【００９８】
同様に、医薬供給が切れる前にカセットをホルダーから外す場合、第２の送受信機から同じデータを読み取ることができ、残留用量または使用用量の数を確認することができる。薬剤投与の日時などの他の情報またはカセットが曝露された最低／最高温度または湿度レベルなどの環境曝露データも、読み取り、ユーザーに表示することができる。
【００９９】
容器内の医薬の供給が切れた場合、あるいは医薬の貯蔵期間が切れている場合、あるいは第１の送受信機が第２の送受信機上のバッチコードを認識しない場合、ディスペンサーの駆動が防止されて、ユーザーを保護することができる。製造者のガイドライン外の期間にわたり医薬が極端な環境条件に曝露された場合、駆動を防止することもできる。
【０１００】
データは、患者による医薬ディスペンサーの使用期間中に送受信機から出し入れすることができる。例えば前記医薬ディスペンサーには、関連する各種センサーを有する電子データ管理システムがあっても良い。センサーが収集するデータまたは時計その他の日付／時刻レコーダーなどの電子データ管理システムに関連するデータ収集システムからのデータを転送可能である。
【０１０１】
データは、患者が装置を使用するごとに転送することができる。あるいは別形態として、データは電子データ管理システムのデータベースメモリーに記憶させることができ、定期的に送受信機にダウンロードすることができる。いずれの場合も、装置使用の履歴を送受信機のメモリーに蓄積することができる。
【０１０２】
本明細書の１実施形態において、医薬ディスペンサーの使用履歴を第２の送受信機に転送する。カセット中のブリスター帯片が消耗した時には、患者がそれを新たな詰め替えカセットに交換する。通常は薬局で行われる交換の時点で、データを、使い切ったカセットから詰め替えカセットに転送することができ、その逆も可能である。さらに、使用履歴データを詰め替え品から読み取って、例えば医療データ管理者の管理下にあるネットワークコンピュータシステムを有する医療データ管理システムに転送することができる。
【０１０３】
本発明においては、詰め替え品を返却し、第２の送受信機内にあるデータを使用可能とすることに関するある種の報酬を患者に与える方法が想到される。本発明においては、第２の送受信機からのデータ受信または商業的目的でのそれ使用について医療データ管理者に課金する方法も想到される。報酬や課金は、電子的に並べることができる。これらの方法は、ネットワーク上のハブを介して収集データにアクセス可能な分散型またはウェブ型コンピュータネットワークシステムによって可能となり得る。そのハブには、各種のセキュリティ機能を組み込むことで、患者の秘密保持を確保し、認証レベルに応じた収集情報への選択的アクセスを可能とすることができる。ユーザー認証のレベルは、基本的に患者の秘密保持を守るために割り当てることができる。それを超えると、ユーザー認証レベルを、商業的条件に割り当てることもでき、例えばデータベースへのより広いアクセスを代わりに、より大きい商業的支払において認証する。
【０１０４】
好適には前記第１および第２の送受信機はそれぞれ、データを送信または受信し、それにメモリーを接続するためのアンテナまたは等価物を有する。メモリーは代表的には、集積回路チップを有する。いずれの送受信機も、大量の情報を記憶できるメモリー構造を有するような構成とすることができる。そのメモリー構造は、メモリーの一部が読取専用であって製造時／製造後にプログラムされ、他の部分が読取／書き込み式であり、さらに一部がパスワード保護可能であるような構成とすることができる。送受信機へのまたは送受信機からの情報の最初の転送（例えば、製造時または１回投薬時）が、医薬ディスペンサーから遠隔である読取装置の使用によって容易に達成されるように構成されていることで、製品を直接取り扱う必要性を低減することができる。さらに別の態様において、複数の医薬ディスペンサー上の複数の送受信機のメモリーに同時に読取または書き込みを行うように、読取装置を構成することができる。
【０１０５】
バッテリー、ゼンマイ式エネルギー保存、太陽電池、燃料電池または速度論式電池などの好適な電源を、必要に応じて本発明におけるいずれかの電子部品に設ける。電源は、再充電可能または再ロード可能なように構成することができる。
【０１０６】
好適にはデータは、第１の送受信機と第２の送受信機の間で２方向式に転送可能であり、両者間で直接の物理的接触は必要ない。好ましくはデータは、第１および第２の送受信機の間でワイアレスにて転送可能である。
【０１０７】
好適には、前記第１の送受信機が能動送受信機であり、第２の送受信機が受動送受信機である。能動という用語は、直接電力を受けることを意味するのに用いられ、受動という用語は間接的に電力を受けることを意味するのに用いられる。
【０１０８】
好適には前記第２の送受信機は、エネルギーを伝達または受容するためのアンテナを有するラベルまたはタグ；および前記アンテナと接続する集積回路チップを有し、前記第１の送受信機は前記ラベルまたはタグの読取装置を有する。この場合、前記ラベルまたはタグは受動的送受信機であり、読取装置は能動的送受信機である。好ましくは前記読取装置は、タグやラベルを読取可能とするためにそのタグやラベルと直接接触している必要はない。
【０１０９】
タグは、目で見るテキスト、機械読取可能なテキスト、バーコードおよびドットコードなどの他の従来の製品ラベル表示法と組み合わせて使用するか、ないしは一体化させることができる。
【０１１０】
好適には前記集積回路チップは、読取専用メモリー領域、書き込み専用メモリー領域、読取／書き込みメモリー領域またはそれらの組み合わせを有する。
【０１１１】
好適には前記集積回路チップは、１回プログラム可能メモリー領域を有する。より好ましくは前記１回プログラム可能メモリー領域は固有の製造番号を有する。
【０１１２】
好適には前記集積回路チップは、工場プリセットの非変更可能な固有データ項目を有するプリセットメモリー領域を有する。プリセットメモリー項目は最も好ましくは、暗号形式のものである。
【０１１３】
好適には前記集積回路チップは、そこに複数のメモリー領域を有する。好適にはいずれのメモリー領域もパスワード保護されている。
【０１１４】
好適にはいずれのメモリー領域も、暗号形式でのデータを有する。名称チェック、エラー検出およびデータ転送の電子的方法も使用可能である。
【０１１５】
１態様において前記集積回路は、例えば製造時に埋め込むことができる固有製造番号を有する読取専用メモリー領域；一旦情報を書き込んだら読取専用とすることができる読取／書き込みメモリー領域；およびデータを偽造防止用途のものとすることができる暗号形式でのデータを含むパスワード保護メモリー領域などの複数のメモリー領域を有する。
【０１１６】
好適には前記タグがキャリアにあり、前記キャリアは医薬ディスペンサーの本体もしくはホルダー上あるいはカセット上に取り付けることができる。
【０１１７】
１態様において前記キャリアは、可撓性ラベルである。別の態様において前記キャリアは、剛性ディスクである。さらに別の態様において前記キャリアは、矩形ブロックである。さらに別の態様において前記キャリアは、エアロゾル容器の首部分に取り付ける上で好適なカラーリングである。他の形状のキャリアも想到される。
【０１１８】
好適には前記キャリアは、カセットまたは筐体に成形または溶接可能である。好適には前記キャリアは、タグを収納している。より好ましくは前記キャリアは、タグ用の気密シールを形成している。
【０１１９】
１態様において前記キャリアは、ガラス材料などの絶縁材料あるいは、紙材料またはポリプロピレンなどの有機ポリマー材料を有する。別形態として前記キャリアは、フェライト材料を含む。
【０１２０】
エネルギーは、超音波、赤外線、無線周波、磁力、光およびレーザの形態などの好適な形態のものであることができる。光ファイバー路などの好適な導路を用いて、エネルギーを通すことができる。
【０１２１】
１態様において前記第２の送受信機は、無線周波エネルギーを送信または受信するためのアンテナ；ならびに前記アンテナと接続されている集積回路チップを有する無線周波識別装置を有し、前記第１の送受信機は前記無線周波識別装置用の読取装置を有する。その場合、前記無線周波識別装置は受動送受信機であり、読取装置は能動送受信機である。無線周波識別装置技術の利点は、その読取装置が読取を行うのに無線周波識別装置タグまたはラベルと直接接触する必要がないという点にある。
【０１２２】
前記無線周波識別装置は、いずれか公知の無線周波識別装置であることができる。そのような識別装置は、無線周波トランスポンダーまたは無線周波識別（RFID）タグもしくはラベルと称される場合がある。好適な無線周波識別装置には、ハイタグ（Hitag）およびアイコード（Icode）の商標名でオランダのフィリップス・セミコンダクターズ（Phillips Semiconductors）によって販売されているもの、 インテリタグ（Intellitag）の商標名で米国のアムテク・システムズ社（Amtech Systems Corporation）によって販売されているもの、ならびにタジット（Tagit）の商標名で米国のテキサス・インスツルーメント（Texas Instruments）によって販売されているものなどがある。
【０１２３】
好適には前記RFIDタグのアンテナは、周波数100kHz〜2.5GHzを有する無線周波エネルギーを送信または受信することができる。好ましい操作周波数は、125kHz、13.56MHzおよび2.4GHzから選択される。
【０１２４】
１態様において前記第２の送受信機は、磁場エネルギーを送信または受信するためのアンテナを有する磁気ラベルもしくはタグ；ならびに前記アンテナと接続された集積回路チップを有し、前記第１の送受信機は、前記磁場ラベルまたはタグ用の読取装置を有する。この場合、磁気ラベルもしくはタグが受動送受信機であり、読取装置が能動送受信機である。
【０１２５】
好適な磁気ラベルまたはタグは、相互に関連する複数の磁気要素を有することで、その磁気要素が問合せ(interrogating)磁場に応答して互いに対して移動する。この種類の磁気ラベルまたはタグは、米国特許第4940966号に記載されている。別の好適な磁気ラベルまたはタグは、各種所定の周波数で磁気ひずみ要素の共鳴を生じる磁気バイアス場存在下で問合せ交流磁場の印加によって読取可能である磁気ひずみ要素を有する。この種類の磁気ラベルが、PCT特許出願WO92／12402に記載されている。線形配列で複数の個別の磁気能動領域を有する別の好適な磁気ラベルまたはタグが、国際特許出願の国際公開第96／31790号に記載されている。好適な磁気ラベルおよびタグには、プログラマブル磁気共鳴（Programmable Magnetic Resonance；PMR）（商標名）技術を使用するものなどがある。
【０１２６】
別の態様において、前記第２の送受信機は微小電子メモリーチップを有し、前記第１の送受信機は前記微小電子メモリーチップ用読取装置を有する。前記微小電子メモリーチップは、電気的消去可能プログラマブル読取専用メモリー（EEPROM）チップまたはSIMカード型メモリーチップを有することができる。この場合、微小電子メモリーチップが受動送受信機であり、読取装置が能動送受信機である。
【０１２７】
本発明におけるあらゆる送受信機、特に受動送受信機は、いずれか好適な不活性キャリア内に搭載または収納することができる。そのキャリアは、可撓性シートを有することができ、そのシートは一部の実施形態においては、その上に印字テキストを受けることができるものとすることができる。
【０１２８】
１態様において、第１の送受信機は、単一ユニットが構成されるように本体と一体となっている。前記第１の送受信機は例えば、本体内に収納されているか、それに成形されていることができる。
【０１２９】
別の態様において前記第１の送受信機は、可逆的に本体と関連し得るベースユニットの一部を形成している。そのベースユニットは例えば、スナップ留めモジュールなどの本体が受け入れ可能なモジュールを形成していることができる。
【０１３０】
好適には前記医薬ディスペンサーはさらに、ネットワークコンピュータシステムと無線通信して、そのネットワークコンピュータシステムと前記電子データ管理システムとの間でのデータ転送を可能とする通信装置を有する。そのような通信装置を用いるディスペンサーは、係属中の国際特許出願PCT/EP00/09291号（PG3786）、PCT/EP00/09293号（PG4029）およびPCT/EP00/09292号（PG4159）に記載されている。好ましくは前記通信装置は、ネットワークコンピュータシステムと電子データ管理システムとの間のデータの２方向転送を可能とするものである。
【０１３１】
好適には前記データは、暗号形式でネットワークコンピュータシステムと電子データ管理システムとの間で通信可能である。全ての好適な暗号または部分暗号方法が想到される。パスワード保護を用いることもできる。好適には前記通信装置は、無線周波または光シグナルを用いるものである。
【０１３２】
１態様において前記通信装置は、ゲートウェイを介してネットワークコンピュータシステムと通信するものである。別の態様において前記通信装置には、ネットワークと直接通信できるようなネットワークサーバー（例：ウェブサーバー）などがある。
【０１３３】
さらに別の態様において前記通信装置は、第２の通信装置を介してゲートウェイと通信する。好ましくは前記第２の通信装置は電気通信装置、より好ましくは携帯電話またはページャである。好ましくは前記通信装置は、スペクトラム拡散無線周波シグナルを用いて第２の通信装置と通信する。好適なスペクトラム拡散プロトコールは、複数の周波数（例えば、79種類の異なる周波数）間での急速な（例えば、毎秒1600回）ホッピングを用いるブルートゥース（Bluetooth；商標名）規格である。そのプロトコールはさらに、データビットの複数送信（例えば、３重送信）を用いることで干渉を減らすことができる。
【０１３４】
１態様において前記ネットワークコンピュータシステムは、パブリックアクセスネットワークコンピュータシステムを有する。インターネットはパブリックアクセスネットワークコンピュータシステムの一つの好適な例であり、それに対するアクセスポイントはインターネットサービスプロバイダが管理するエントリーポイントなどの好適なエントリーポイントであることができる。パブリックアクセスネットワークコンピュータシステムはまた、従来の銅配線システム、セル式システムまたは光ネットワークのいずれかであることができる電気通信システムの一部を形成していても良い。
【０１３５】
別の態様において前記ネットワークコンピュータシステムは、プライベートアクセスネットワークコンピュータシステムを有する。プライベートアクセスネットワークシステムは例えば、例えば医療サービス提供者または医薬製造者が維持することができるイントラネットまたはエクストラネットを有することができる。ネットワークは例えば、パスワード保護；ファイアウォール；および好適な暗号化手段を有することができる。
【０１３６】
好ましくは前記通信装置は、ネットワークコンピュータシステムにおけるユーザー固有ネットワークアドレスで通信を行うことができる。
【０１３７】
ユーザー固有ネットワークアドレスは、ウェブサイトアドレス、ｅ−メールアドレスおよびファイル転送プロトコールアドレスからなる群から選択することができる。好ましくは前記ユーザー固有ネットワークアドレスは、遠隔情報源からの情報を利用可能なように、その遠隔情報源にアクセスすることができる。
【０１３８】
より好ましくは、前記ユーザー固有ネットワークアドレスからの情報を、前記遠隔情報源に利用可能とすることができる。
【０１３９】
１態様において前記遠隔情報源は、医薬処方者、例えば医院である。従って医薬処方者から転送される情報は、処方の詳細への変更、自動処方アップデートまたはトレーニング情報を有することができる。医薬処方者に転送される情報は、服用遵守情報、すなわち所定の処方プログラムに対する患者の遵守に関する情報を含むことができる。例えば患者が収集する診断データに関する患者成績情報も、医薬処方者に転送することができる。前記ディスペンサーが呼吸器障害の緩和のための医薬を投薬する吸入器である場合、そのような診断データの例には、呼吸サイクルデータまたはピーク流量データなどがあると考えられる。
【０１４０】
別の態様において前記遠隔情報源は、薬局である。従って、薬局から転送される情報は、医薬品に関する情報を有することができる。従って薬局に送られる情報には、医薬処方者が遠隔で予め認証した処方要請などがあり得る。
【０１４１】
さらに別の態様では、前記遠隔情報源は救急支援提供者であり、例えば病院の事故および救急サービスまたは緊急ヘルプラインもしくはスイッチボードである。そこでその情報は、救急支援を要請する遭難または救急支援シグナルを含むことができる。
【０１４２】
さらに別の態様では前記遠隔情報源は、医薬または医薬投与システムの製造者である。そこでそのシステムに転送される情報は、製品アップデート情報を含むことができる。そのシステムはまた、システム性能に関して製造者に情報をフィードバックするよう構成することができる。
【０１４３】
さらに別の態様では前記遠隔情報源は研究機関である。従って臨床試験の状況では、情報は試験プロトコールに関して転送することができ、患者服用遵守に関する情報を研究機関にフィードバックすることができる。
【０１４４】
さらに別の態様において前記遠隔情報源は、環境モニタリングステーションである。そこで、気候、花粉量および汚染レベルに関する情報を、システムがアクセス可能とすることができる。
【０１４５】
好適には前記医薬ディスペンサーはさらに、全地球測位システムまたは複数の通信シグナルおよび三角測量アルゴリズムの使用に基づくシステムなどの地理測位システムを有する。
【０１４６】
前記医薬は、カプセル、ペレットまたは錠剤を含むことができる。別形態として前記医薬は、粉末状であることができる。好ましくは、粉末状の場合、前記医薬は薬物を含む。好ましくはその薬物は、アルブテロール、サルメテロール、プロピオン酸フルチカゾンおよびジプロピオン酸ベクロメタゾンならびにそれらの塩もしくは溶媒和物そしてそれらのいずれかの組み合わせからなる群から選択される。好ましくは前記組み合わせは、キシナホ酸サルメテロールおよびプロピオン酸フルチカゾンを含む。
【０１４７】
好適には前記粉末医薬はさらに、賦形剤を含む。好適には、前記賦形剤は糖である。
【０１４８】
さらに別の態様において本発明は、前記のようなカセット、カセット用ホルダーおよび本体を有する部品キットであって、前記ホルダーが前記本体内に嵌合するような形状であり、前記本体に対して移動可能なものであるキットを提供する。
【０１４９】
さらに別の態様において本発明は、上記の医薬ディスペンサーで使用される本体およびホルダーを提供する。
【０１５０】
さらに別の態様において本発明は、上記の医薬ディスペンサーで使用されるカセットを提供する。
【０１５１】
さらに別の態様において本発明は、上記のような医薬ディスペンサーの使用を提供する。
【発明を実施するための最良の形態】
【０１５２】
図面について説明すると、図１には、本発明による医薬キャリア101を示してある。医薬キャリアは、複数のポケット105、107、109を画定する可撓性帯片103を有し、各ポケットは粉末形態の吸入することができる１用量の医薬を含む。
【０１５３】
前記帯片は、ポケット105、107、109を画定するようにブリスターが形成されたベースシート111と、蓋シート113とを有し、蓋シートは、ベースシートのブリスター領域以外の領域に、蓋シート113とベースシート111を互いに剥離させることができるような形で気密封止されている。好ましくは互いに全く封止されない先端部分115、117を除き、シート111、113はその全幅にわたって互いに封止されている。蓋シート113およびベースシート111はそれぞれ、好ましくはプラスチック／アルミニウム積層体で形成されており、好ましくはヒートシールによって互いに接着されている。
【０１５４】
帯片103は、帯片103の長さに対して横切るように延びた、均一な間隔で配置された細長いポケット105、107、109を有するように示してある。これは、帯片103の所定の長さにおいて非常に多くのポケット105、107、109を提供可能となるという点で都合がよい。帯片103は例えば、60個または100個のポケットを有することができるが、帯片103はいかなる好適な数のポケットも有し得ることは明らかであろう。
【０１５５】
図２には、本発明の医薬ディスペンサーのベースユニット200を示してある。医薬帯片（明確には図示せず）は、ベースユニット200のチャンバ202内に配置されている。帯片は、マニホールド部品内のガイド部材204を通って予め送り込まれ、６ポケット間欠送りホイール206に係合している。帯片の第１のポケットは開放ステーション208から１ポケット離れて配置されている。蓋フォイルおよびベースフォイルはビーク210の周りで分離可能である。生じた空のベースフォイルは、ベース巻き取りチャンバ214内のベース巻取りスピンドル212の周りに巻き付く。使用済みの蓋フォイルはビーク210越しに送られ、蓋巻き取りチャンバ218内の蓋巻き取りスピンドル216の周りに巻き付く。
【０１５６】
ディスペンサーを駆動するには、間欠送りレバー220をストッパー(stop)(不図示）に当たるまで回す。間欠送りレバー220は、単純な歯車列（不図示）によって間欠送りホイール206、ベース巻き取りスピンドル212および蓋巻き取りスピンドル216と相互に連結されている。したがって、間欠送りレバー220により帯片が間欠送りされ、使用済みのフォイルが巻き取られる。
【０１５７】
最初、間欠送りホイール206と蓋巻き取りフォイルスピンドル216との間のギヤリングは一対一である。しかしながら、蓋巻き取りスピンドル216にフォイルが巻き付くにつれて、その有効巻き取り直径が大きくなる。直径が大きくなると、間欠送りレバー220が解放するよりも多くの帯片が蓋巻き取りスピンドル216によって引っ張られることになるだろう。したがって、間欠送りホイール206と蓋巻き取りスピンドル216との間の蓋フォイル経路に配置された、可撓性部材222の形態の補償手段が、可撓性部材222によって間欠送りホイール206と蓋巻き取りスピンドル216の間の距離が短くなるように曲がることで、巻き取りスピンドル216に引っ張られる帯片長さの増分を補償する。
【０１５８】
図３には、本発明の医薬ディスペンサーのベースユニット300を示してある。医薬帯片（明確には図示せず）は、ベースユニット300のチャンバ302内に配置されている。帯片は、マニホールド部品内のガイド部材304を通って予め送り込まれ、８ポケット間欠送りホイール306に係合している。帯片の第１のポケットは開放ステーション308から１ポケット離れて配置されている。蓋フォイルおよびベースフォイルはビーク310の周りで分離可能である。生じた空のベースフォイルは、ベース巻き取りチャンバ314内のベース巻取りスピンドル312の周りに巻き付く。使用済みの蓋フォイルはビーク310越しに送られ、蓋巻き取りチャンバ318内の蓋巻き取りスピンドル316の周りに巻き付く。
【０１５９】
ディスペンサーを駆動するには、間欠送りレバー320をストッパー(stop)(不図示）に当たるまで回す。間欠送りレバー320は、単純な歯車列（不図示）によって間欠送りホイール306、ベース巻き取りスピンドル312および蓋巻き取りスピンドル316と相互に連結されている。したがって、間欠送りレバー320により帯片が間欠送りされ、使用済みのフォイルが巻き取られる。
【０１６０】
最初、間欠送りホイール306と蓋巻き取りフォイルスピンドル316との間のギヤリングは一対一である。しかしながら、蓋巻き取りスピンドル316にフォイルが巻き付くにつれて、その有効巻き取り直径が大きくなる。直径が大きくなると、間欠送りレバー320が解放するよりも多くの帯片が蓋巻き取りスピンドル316によって引っ張られることになるだろう。したがって、間欠送りホイール306と蓋巻き取りスピンドル316との間の蓋フォイル経路に配置された、バネ荷重テンショナー322の形態の補償手段が、バネ荷重テンショナー322によって間欠送りホイール306と蓋巻き取りスピンドル316の間の距離が短くなるように曲がることで、巻き取りスピンドル316に引っ張られる帯片長さの増分を補償する。
【０１６１】
図４には、本体440、ホルダー442、詰め替えカセット444および電子ディスプレー446を有する本発明による医薬ディスペンサーを示してある。ホルダー442は、本体440内にぴったりと嵌合するような形状となっており、本体の１箇所に固定されて（不図示）、そこを中心として回転する。ストッパー(stop)448、450がホルダー442から突出しており、ホルダー442が本体440に対して約180°を超えて回転するのを防止している。ストッパー448、450はまた、本体440内にホルダー442の２つの所定位置を提供する。一方の位置は本体縁部452と当たるストッパー448によって決定され、他方の位置はホルダーが本体に対して回転した時に本体縁部454と当たるストッパー450によって決定される。ストッパー448と450との間の領域は、装置ユーザーのための親指グリップまたは指グリップ456を形成するような形状となっている。ホルダー442は、詰め替えカセット444がぴったりと嵌合するシェルを形成している。
【０１６２】
詰め替えカセット444は、医薬キャリア（不図示）を有するシェルと、医薬にアクセスするためにキャリア（不図示）を開放するための機構とを有する。詰め替えカセット444は、その幅方向の両側の一端に隆起部分458を有しており、ここで、詰め替えカセット444のこの部分は詰め替えカセット444を受け入れるホルダーの部分460と少なくとも同じ深さである。これによって、ホルダー442内でのカセット444の位置を、稜部458はホルダー442から突出しているが、カセット444の残りの部分はホルダー442内に入っているように固定することができる。
【０１６３】
詰め替えカセット444はまた、マウスピース（不図示）と、カセット444内の医薬キャリアを間欠送りするための間欠送りレバー462とを有する。
【０１６４】
図５には、本発明の別の医薬ディスペンサーのベースカセットユニット500を示してある。医薬帯片（明確には図示せず）は、ベースユニット500のチャンバ502内に配置されている。帯片は、マニホールド部品内のガイド部材504を通って予め送り込まれ、８ポケット間欠送りホイール506に係合している。帯片の第１のポケットは開放ステーション508から１ポケット離れて配置されている。蓋フォイルおよびベースフォイルはビーク510の周りで分離可能である。生じた空のベースフォイルは、ベース巻き取りチャンバ514内のベース巻取りスピンドル512の周りに巻き付く。使用済みの蓋フォイルはビーク510越しに送られ、蓋巻き取りチャンバ518内のハブ型蓋巻き取りスピンドル516の周りに巻き付く。
【０１６５】
ディスペンサーを駆動するには、間欠送りレバー520をストッパー(stop)(不図示）に当たるまで回す。間欠送りレバー520は、単純な歯車列（不図示）によって間欠送りホイール506、ベース巻き取りスピンドル512および蓋巻き取りスピンドル516と相互に連結されている。したがって、間欠送りレバー520により帯片が間欠送りされ、使用済みのフォイルが巻き取られる。
【０１６６】
最初、間欠送りホイール506と蓋巻き取りフォイルスピンドル516との間のギヤリングは一対一である。しかしながら、蓋巻き取りスピンドル516にフォイルが巻き付くにつれて、その有効巻き取り直径が大きくなる。直径が大きくなると、間欠送りレバー520が解放するよりも多くの帯片が蓋巻き取りスピンドル516によって引っ張られることになるだろう。したがって、ハブ型蓋巻き取りスピンドル516に配置された、ねじりバネ522の形態の補償手段が設けられている。
【０１６７】
動作の第１の「ワンウェイ巻き取り」モードでは、ねじりバネ522は最初ぴんと張っており、その張力は、蓋巻き取りスピンドル516が蓋シートを受け取るにつれて低下し、それによって蓋シートが蓋巻き取りスピンドルに巻き取られるにつれて徐々にその駆動作用が低下する。そのため、巻き取りスピンドル516の有効巻き取り表面の直径の増分についての補償が設けられている。
【０１６８】
図５のディスペンサーの変形形態では、ハブ型巻き取りスピンドル516の直径（したがってその最初の有効巻き取り表面の直径）は、例示された直径よりも小さく、特に、最初に医薬キャリアを均一に（１対１）間欠送りするには小さすぎるくらいに小さい。この変形形態は、「ツーウェイ巻き取り」モードでの操作のために設計されている。使用中、蓋シートが蓋巻き取りスピンドル516の周りに巻き付くにつれて、その有効巻き取り表面は大きくなり、最終的に医薬キャリアの均一な間欠送りにとって理想的な直径になるまで大きくなる。しかしながら、さらに巻き付くと、有効巻き取り表面の直径は過度に大きな直径まで増大し続ける。この使用モードでは、ねじりバネ522は、最初、不十分な蓋巻き取りスピンドル直径を補償するように作用する。その後、その補償は低下して、有効巻き取り表面の直径が理想的である時点でゼロになる。次いで、この補償は、次第に、大きすぎる有効巻き取り表面の直径を補償するように作用する。
【０１６９】
動作の「ワンウェイ巻き取り」および「ツーウェイ巻き取り」モードは、図６を参照することでさらに理解され得る。これは、細長いブリスター帯片型医薬キャリア（図１に示したようなもの）の蓋フォイルが受ける張力（ｙ軸）対医薬キャリアのポケット数（ｘ軸）のグラフを示すものである。ポケットの数の値は、どのくらいの量の蓋フォイルがディスペンサーのホイール（例えば図５の巻き取りスピンドル516）によって受け取られたかに直接関係していることを理解されたい。図６に示されたデータは、６０ポケットの医薬キャリアブリスター帯片に関するものであるので、No.30のポケットがほぼ帯片の中間点を表わす。
【０１７０】
図６に示されているように、「ワンウェイ巻き取り」モードに関し、蓋フォイル張力は最初は変化がわずかであるが、ポケット数が増すにつれて（すなわち蓋フォイルがホイールの周りに巻き付くにつれて）徐々に大きくなる。「ツーウェイ巻き取り」モードに関し、張力は、最初は変化がわずかであるが、徐々に小さくなって帯片の中間点(ポケットNo.30)付近で最小になり、再び少しずつ大きくなって帯片の終点(ポケットNo.60)で最高値になる。したがって、一般に、「ツーウェイ巻き取り」モード形態では、より小さくて、あまり複雑でなく、よりコンパクトな補償手段を用いることができる。「ツーウェイ巻き取り」では、構造安定性の見地から有益であり得るより均一な蓋フォイル張力が得られることも理解されたい。
【０１７１】
図２、３および５に示したディスペンサーのいずれかまたは全てを、ホイール直径を適切に選択することによって「ツーウェイ巻き取り」モードでの動作に適合させることができる。
【０１７２】
医薬懸濁液と接触するディスペンサーまたはカセットの部分を、医薬が付着する傾向を低下させるフルオロポリマー材料（例：PTFEまたはFEP）等の材料でコーティングすることができることは明らかである。可動部分には、その所望の運動特性を促進するコーティングを施すこともできる。従って必要に応じて、摩擦コーティングを施して摩擦接触を促進したり、潤滑剤（例：シリコーンオイル）を用いて摩擦接触を低下させることができる。
【０１７３】
本発明の医薬ディスペンサーは、特に喘息および慢性閉塞性肺疾患（COPD）、気管支炎および胸部感染のような呼吸器疾患の治療用の医薬を投薬する上で好適である。そこで、投薬する上で適切な医薬は、例えばコデイン、ジヒドロモルヒネ、エルゴタミン、フェンタニルまたはモルヒネなどの鎮痛薬；ジルチアゼムなどの狭心症薬；クロモグリク酸化合物（例：ナトリウム塩）、ケトチフェンまたはネドクロミル（例：ナトリウム塩として）などの抗アレルギー薬；セファロスポリン類、ペニシリン類、ストレプトマイシン類、スルホンアミド類、テトラサイクリン類およびペンタミジンなどの抗感染薬；メタピリレンなどの抗ヒスタミン薬；ベクロメタゾン（例：ジプロピオン酸エステルとして）、フルチカゾン（例：プロピオン酸エステルとして）、フルニソリド、ブデソニド、ロフレポニド（rofleponide）、モメタゾン（mometasone）（例：フロ酸エステルとして）、シクレソニド（ciclesonide）、トリアムシノロン（例：アセトニドとして）、６α，９α−ジフルオロ−１１β−ヒドロキシ−１６α−メチル−３−オキソ−１７α−プロピオニルオキシ−アンドロスタ−１，４−ジエン−１７β−カルボチオ酸Ｓ−（２−オキソテトラヒドロ−フラン−３−イル）エステルなどの抗炎症剤；ノスカピンなどの鎮咳薬；アルブテロール（例：遊離塩基または硫酸塩として）、サルメテロール（例：キシナホ酸塩として）、エフェドリン、アドレナリン、フェノテロール（例：臭化水素酸塩として）、ホルモテロール（例：フマル酸塩として）、イソプレナリン、メタプロテレノール、フェニレフリン、フェニルプロパノールアミン、ピルブテロール（例：酢酸塩として）、レプロテロール（例：塩酸塩として）、リミテロール、テルブタリン（例：硫酸塩として）、イソエタリン、ツロブテロールまたは４−ヒドロキシ−７−［２−［［２−［［３−（２−フェニルエトキシ）プロピル］スルホニル］エチル］アミノ］エチル−２（３Ｈ）−ベンゾチアゾロンなどの気管支拡張薬；シロミラスト（cilomilast）またはロフルミラスト（roflumilast）などのPDE4阻害薬；モンテルカスト（montelukast）、プランルカスト（pranlukast）およびザフィルルカスト（zafirlukast）などのロイコトリエン拮抗薬；２Ｒ，３Ｒ，４Ｓ，５Ｒ）−２−［６−アミノ−２−（１Ｓ−ヒドロキシメチル−２−フェニル−エチルアミノ）−プリン−９−イル］−５−（２−エチル−２Ｈ−テトラゾール−５−イル）−テトラヒドロ−フラン−３，４−ジオール（例：マレイン酸塩として）などのアデノシン２ａ作働薬；（２Ｓ）−３−［４−（｛［４−（アミノカルボニル）−１−ピペリジニル］カルボニル｝オキシ）フェニル］−２−［（（２Ｓ）−４−メチル−２−｛［２−（２−メチルフェノキシ）アセチル］アミノ｝ペンタノイル）アミノ］プロパン酸（例：遊離酸またはカリウム塩として）などのα４インテグリン阻害薬；アミロリドなどの利尿薬；イプラトロピウム（例：臭化物として）、チオトロピウム（tiotropium）、アトロピンまたはオキシトロピウム（oxitropium）などの抗コリン作働薬；コルチゾン、ハイドロコルチゾンまたはプレドニゾロンなどのホルモン類；アミノフィリン、コリン・テオフィリネート、リジンテオフィリネートまたはテオフィリンなどの��サンチン類；インシュリンまたはグルカゴンなどの治療タンパク質およびペプチド；ワクチン、診断薬および遺伝子治療薬から選択することができる。当業者には、適宜に医薬を、塩の形で（例：アルカリ金属塩またはアミン塩あるいは酸付加塩として）、またはエステルとして（例：低級アルキルエステル）、または溶媒和物として（例：水和物）用いて、その医薬の活性および／または安定性を至適化することができることは明らかであろう。
【０１７４】
好ましい医薬は、アルブテロール、サルメテロール、プロピオン酸フルチカゾンおよびジプロピオン酸ベクロメタゾンならびにそれらの塩または溶媒和物（例：アルブテロールの硫酸塩およびサルメテロールのキシナホ酸塩）から選択される。
【０１７５】
医薬はまた、併用で投与することもできる。有効成分の組み合わせを含む好ましい製剤は、ベクロメタゾンエステル（例：ジプロピオン酸エステルとして）またはフルチカゾンエステル（例：プロピオン酸エステルとして）またはブデソニドなどの抗炎症性ステロイドとの組み合わせで、サルブタモール（例：遊離塩基または硫酸塩として）またはサルメテロール（例：キシナホ酸塩として）またはホルモテロール（例：フマル酸塩として）を含む。特に好ましい組み合わせは、プロピオン酸フルチカゾンおよびサルメテロールまたはそれの塩（特には、キシナホ酸塩）の組み合わせである。特に興味深いさらに別の組み合わせは、ブデソニドおよびホルモテロール（例：フマル酸塩として）である。
【０１７６】
一般に、肺の気管支領域または肺胞領域への薬剤送達に好適な粉末医薬粒子は、10μｍ未満、好ましくは６μｍ未満の空気力学的直径を有する。鼻腔、口または喉などの呼吸器管の他の部分への送達が望ましい場合には、他の粒径の粒子を用いることができる。医薬は純粋な薬剤として投与することができるが、より適切には、吸入に好適な賦形剤（担体）とともに医薬を投与することが好ましい。好適な賦形剤には、多糖類（すなわち、デンプン、セルロースなど）、乳糖、グルコース、マニトール、アミノ酸類およびマルトデキストリン類などの有機賦形剤、ならびに炭酸カルシウムまたは塩化ナトリウムなどの無機賦形剤などがある。乳糖が好ましい賦形剤である。
【０１７７】
粉末医薬および／または賦形剤の粒子は、従来法によって、例えば微粉化、粉砕または篩かけによって製造することができる。さらに、医薬および／または賦形剤の粉末は、粒子の密度、粒径範囲または特性で操作することができる。粒子は、活性薬剤、界面活性剤、壁形成材料または当業者が望ましいと考える他の成分を含むことができる。
【０１７８】
賦形剤は、混合、共沈などの公知の方法によって医薬に含めることができる。賦形剤と薬剤の混合物は代表的には、その混合物の用量への正確な計量および分散が可能となるように製剤する。標準的な混合物は例えば、薬剤50μｇと混合した乳糖13000μｇを含むことで、賦形剤／薬剤比を260：1とする。賦形剤／薬剤比1000:1〜1:1の用量混合物を用いることができる。しかしながら、賦形剤／薬剤比が非常に低い場合、薬剤用量の再現性はより変動しやすくなると考えられる。
【０１７９】
本開示内容は説明のみを目的としたものであり、本発明はそれに対する修正、変更および改良を網羅するものであることは明らかであろう。
【０１８０】
上記説明および特許請求の範囲が一部を形成する本願は、それ以降の出願に関する優先権の基礎として用いることができる。そのような以降の出願の特許請求の範囲は、本明細書に記載の特徴またはその特徴の組み合わせに関するものであることができる。それは、製造物、方法または用途の特許請求の範囲の形態を取ることができるか、あるいは限定するものではないが例を挙げると、添付の特許請求の範囲の１以上を含むことができる。
【図面の簡単な説明】
【０１８１】
【図１】本発明による医薬キャリアの斜視図である。
【図２】本発明の１態様による内部機構を収納したベースユニットを示す図である。
【図３】本発明の別の態様による内部機構を収納したベースユニットを示す図である。
【図４】ホルダーおよび本体からカセットが取り出されている本発明による医薬ディスペンサーの斜視図である。
【図５】本発明のさらに別の態様による内部機構を収納したベースユニットを示す図である。
【図６】本明細書に記載の「ワンウェイ巻き取り」および「ツーウェイ巻き取り」モードについて、帯片蓋フォイルの張力対帯片ポケット数をグラフにした図である。
【図１】
2005506164.tif 000003
【図２】
2005506164.tif 000004
【図３】
2005506164.tif 000005
【図４】
2005506164.tif 000006
【図５】
2005506164.tif 000007
【図６】
2005506164.tif 000008
【国際公開パンフレット】
2005506164.tif 000009
2005506164.tif 000010
2005506164.tif 000011
2005506164.tif 000012
2005506164.tif 000013
2005506164.tif 000014
2005506164.tif 000015
2005506164.tif 000016
2005506164.tif 000017
2005506164.tif 000018
2005506164.tif 000019
2005506164.tif 000020
2005506164.tif 000021
2005506164.tif 000022
2005506164.tif 000023
2005506164.tif 000024
2005506164.tif 000025
2005506164.tif 000026
2005506164.tif 000027
2005506164.tif 000028
2005506164.tif 000029
2005506164.tif 000030
2005506164.tif 000031
2005506164.tif 000032
2005506164.tif 000033
2005506164.tif 000034
2005506164.tif 000035
2005506164.tif 000036
2005506164.tif 000037
2005506164.tif 000038
2005506164.tif 000039
2005506164.tif 000040
2005506164.tif 000041
2005506164.tif 000042
2005506164.tif 000043
2005506164.tif 000044
2005506164.tif 000045
2005506164.tif 000046
2005506164.tif 000047
2005506164.tif 000048
2005506164.tif 000049
2005506164.tif 000050
2005506164.tif 000051
2005506164.tif 000052
2005506164.tif 000053
2005506164.tif 000054
2005506164.tif 000055
2005506164.tif 000056
2005506164.tif 000057
2005506164.tif 000058
2005506164.tif 000059
2005506164.tif 000060
2005506164.tif 000061
【国際調査報告】
2005506164.tif 000062
2005506164.tif 000063
2005506164.tif 000064